(57)【要約】【課題】  犬の脱糞を直接受け取って処理できると共に、路上に落下した糞も確実に処理でき、更に、糞を密閉して収納できるようにした糞処理具を提供する。【解決手段】  ショベル部１１は、収納部１２の外周を覆うように配設される。ショベル部１１の周縁は、上方に向かうように徐々に湾曲されている。収納部１２には、摺動自在の扉部１４が設けられる。扉部１４を開状態として、収納部１２内に、直接脱糞させることができる。また、路上に脱糞した場合には、落下した糞をショベル部１１ですくい上げて、収納部１２内に収納することができる。扉部１４を閉状態とすると、収納部１２が密閉されるため、衣服等を汚したり、異臭を放ったりするとなく、糞を持ち帰って処理することができる。【選択図】        図１
2007244302.tif 000002
【特許請求の範囲】
【請求項１】
糞が収納される収納部と、
前記収納部を開閉する扉部と、
前記収納部の外周を覆うように配設されたショベル部と、
前記収納部の後端に固定された把手部とからなり、
前記扉部を開状態として前記収納部内に糞を収納すると共に、落下した糞を前記ショベル部ですくい上げて前記収納部内に収納する
ことを特徴とする糞処理部。
【請求項２】
前記ショベル部は、周縁が上方に向かうように徐々に湾曲されることを特徴とする請求項１に記載の糞処理具。
【請求項３】
前記扉部は、前記収納部の上縁に設けられたガイド溝に摺動自在に配設されることを特徴とする請求項１に記載の糞処理具。
【請求項４】
前記扉部と前記ガイド溝との間に、パッキン部材を設けるようにしたことを特徴とする請求項３に記載の糞処理部。
【請求項５】
前記扉部の両側縁に、収納自在の突出片を設けるようにしたことを特徴とする請求項３に記載の糞処理具。
【発明の詳細な説明】
【技術分野】
【０００１】
本発明は、犬を散歩に連れて行ったときに、犬の脱糞を処理するための糞処理具に関する。
【背景技術】
【０００２】
犬を散歩させるときには、飼い主は、ビニル袋や空缶と、ショベルや割り箸を携帯し、犬が道路等で糞をしたら、地面に落下した糞を拾い取り、持ち帰ることが望まれている。しかしながら、このような犬の散歩時における糞の処理は、汚い作業であり、また、作業中に、手や衣服に糞が付き、不衛生である。
【０００３】
そこで、犬の糞を効率的に衛生的に処理できるようにするための糞処理具が提案されている。たとえば、特許文献１には、犬の糞を受け得る受け体の少なくとも前側部分を脱糞時の犬の後脚の間に差し込み得る横幅となし、受け体の上面を開閉する蓋体を設け、把持杆を使用者が片手で持って上記皿体及び蓋体を携帯し得るように構成する一方、把持杆によって受け体を地面に置いた状態で手を離すと受け体が後端縁の回りに後方に揺動するような重量配分を付与し、蓋体を開閉操作するための操作杆を設けるようにしたものが提案されている。
【特許文献１】実用新案登録第３０６６４５７号公報
【発明の開示】
【発明が解決しようとする課題】
【０００４】
特許文献１に示されるものでは、犬の脱糞を受け体で直接受け取るようにして、ショベルや割り箸を携帯することなく、手を汚さずに、犬の糞を処理できるようにしている。しかしながら、飼い主が十分注意していないと、犬は突然に路上等に脱糞にしてしまうことがある。特許文献１に示されたものでは、路上等に脱糞した場合の糞の処理が行えない。
【０００５】
また、脱糞の際に、糞が受け体の外にこぼれてしまうことが考えられる。特許文献１に示されるものでは、脱糞の際に受け体の周囲から糞が外にこぼれたときに、糞の処理が行えない。
【０００６】
更に、特許文献１に示されるものでは、受け体の上方に、枢支軸に枢支された回転自在の蓋体を設けるようにしている。このような構造の蓋体では、密閉が十分でなく、臭いが外に漏れてしまうようなことがある。
【０００７】
本発明は、上述の課題を鑑み、犬の脱糞を直接受け取って処理できると共に、路上に落下した糞も確実に処理でき、更に、糞を密閉して収納できるようにした糞処理具を提供することを目的とする。
【課題を解決するための手段】
【０００８】
本発明に係る糞処理具は、糞が収納される収納部と、収納部を開閉する扉部と、収納部の外周を覆うように配設されたショベル部と、収納部の後端に固定された把手部とからなり、扉部を開状態として収納部内に糞を収納すると共に、落下した糞をショベル部ですくい上げて収納部内に収納することを特徴とする。
【０００９】
好ましくは、ショベル部は、周縁が上方に向かうように徐々に湾曲されることを特徴とする。
【００１０】
好ましくは、扉部は、収納部の上縁に設けられたガイド溝に摺動自在に配設されることを特徴とする。
【００１１】
好ましくは、扉部とガイド溝との間に、パッキン部材を設けるようにしたことを特徴とする。
【００１２】
好ましくは、扉部の両側縁に、収納自在の突出片を設けるようにしたことを特徴とする。
【発明の効果】
【００１３】
本発明によれば、糞が収納される収納部と、収納部を開閉する扉部と、収納部の外周を覆うように配設されたショベル部と、収納部の後端に固定された把手部とからなり、扉部を開状態として収納部内に糞を収納すると共に、落下した糞をショベル部ですくい上げて収納部内に収納するようにしている。このため、扉部を開状態として、収納部内に、直接脱糞させることができる。また、路上に脱糞した場合には、落下した糞をショベル部ですくい上げて、収納部内に収納することができる。
【００１４】
また、本発明によれば、ショベル部は、周縁が上方に向かうように徐々に湾曲されているので、収納部内に直接脱糞させたときに、糞が外にこぼれ落ちることがないと共に、ショベル部上に落下した糞を収納部内に確実に落下させることができる。
【００１５】
また、本発明によれば、扉部は、収納部の上縁に設けられたガイド溝に摺動自在に配設されているので、扉部を閉状態とすると、収納部が密閉されるため、衣服等を汚したり、異臭を放ったりすることなく、糞を持ち帰って処理することができる。
【００１６】
また、本発明によれば、扉部とガイド溝との間に、パッキン部材を設けるようにしているので、収納部をより確実に密閉できる。
【００１７】
また、本発明によれば、扉部の両側縁に、収納自在の突出片を設けるようにしているので、収納部をより確実に密閉できる。
【発明を実施するための最良の形態】
【００１８】
第１実施形態．
以下、本発明の実施の形態について図面を参照しながら説明する。図１（Ａ）及び図１（Ｂ）は、本発明の第１の実施形態の糞処理具１の構成を示すものである。図１（Ａ）及び図１（Ｂ）において、１１はショベル部、１２は収納部、１３は把手部である。
【００１９】
ショベル部１１は、収納部１２の外周を覆うように配設される。ショベル部１１の先端は、徐々に狭められており、また、ショベル部１１の周縁は、上方に向かうように徐々に湾曲されている。
【００２０】
収納部１２は、犬の糞を収納するものである。収納部１２の上側には、摺動自在の扉部１４が設けられる。扉部１４には、ノブ１５が設けられる。ノブ１５を持って扉部１４を矢印Ａ１方向に動かすと、図１（Ａ）に示すように、扉部１４が閉状態となる。扉部１４を矢印Ａ２方向に動かすと、図１（Ｂ）に示すように、扉部１４が開状態となる。把手部１３は、使用者が糞処理具１を把持する部分である。
【００２１】
図２は、本発明の第１の実施形態の糞処理具１の分解斜視図である。図２に示すように、収納部１２には、その内側の上縁に沿って、ガイド溝２１が形成される。ガイド溝２１内に扉部１４が摺動自在に挿入される。収納部１２の上側には、ネジ２２ａ〜２２ｄにより、カバー２３が取り付けられる。
【００２２】
ショベル部１１には、収納部１２の外形に対応した形状の凹部２５が設けられる。収納部１２がショベル部１１の凹部２５内に嵌合され、収納部１２とショベル部１１とが固着される。収納部１２とショベル部１１とを固着させると、ショベル部１１の凹部２５の側壁２６により、収納部１２の端面が閉塞される。収納部１２の後端には、把手部１３が取り付けられる。
【００２３】
図３及び図４は、本発明の第１の実施形態の糞処理具１の使用方法の説明図である。犬を脱糞させるときには、扉部４を矢印Ａ２方向に移動させ、扉部１４が開状態とする（図１（Ｂ）参照）。そして、図３に示すように、犬３１の肛門３２の下に糞処理具１を配置し、収納部１２内に、脱糞させる。このとき、糞処理具１の周囲には、ショベル部１１が配設されている。このため、糞が外にこぼれ落ちることがない。また、ショベル部１１の周縁は、徐々に上方に向かうように湾曲されているため、ショベル部１１上に落下した糞は、収納部１２内に確実に落下する。
【００２４】
脱糞が終了したら、扉部４を矢印Ａ１方向に移動させ、扉部１４を閉状態とする（図１（Ａ）参照）。扉部１４を閉状態とすれば、収納部１２内の糞は密閉され、衣服等を汚したり、異臭を放つことなく、持ち帰って処理することができる。
【００２５】
また、犬を散歩に連れて行くと、犬が路上に脱糞してしまうことがある。このような場合には、図４に示すように、ショベル部１１で落下した糞３３をすくい上げる。そして、すくい上げた糞３３を収納部１２内に落下させ、扉部１４を閉状態として、持ち帰って処理する。
【００２６】
以上説明したように、本発明の第１の実施形態の糞処理具１では、ショベル部１１と、収納部１２と、把手部１３とが設けられ、収納部１２には、摺動自在の扉部１４が設けられる。このため、扉部１４を開状態として、収納部１２内に、直接脱糞させることができる。また、路上に脱糞した場合には、落下した糞をショベル部１１ですくい上げて、収納部１２内に収納することができる。そして、扉部１４を閉状態とすると、収納部１２が密閉されるため、衣服等を汚したり、異臭を放ったりすることなく、糞を持ち帰って処理することができる。
【００２７】
第２実施形態．
図５及び図６は、本発明の第２実施形態を示すものである。この実施形態では、扉部１４を閉状態としたときに、収納部１２が完全に密閉されるように、パッキン部材４１、４２を取り付けるようにしたものである。
【００２８】
すなわち、図２に示したように、本発明の実施形態では、収納部１２の内側の上縁にガイド溝２１が形成され、このガイド溝２１内に、扉部１４が摺動自在に挿入されている。このガイド溝２１と扉部１４との密閉を完全にするために、本発明の第２の実施形態では、図５に示すように、ガイド溝２１には、ゴムや合成樹脂からなるパッキン部材４１が収納される。また、図６に示すように、カバー２３の一端には、ゴムや合成樹脂からなるパッキン部材４２が取り付けられる。
【００２９】
このように、本発明の第２実施形態では、扉部１４の周縁とガイド溝２１との間に、パッキン部材４１を設け、また、カバー２３の一端にパッキン部材４２を設けるようにしている。このため、扉部１４を閉状態としたときに収納部１２が完全に密閉され、収納部１２内の糞の臭いが外部に漏れることが防止される。他の構成については、前述の第１の実施形態と同様であり、その説明を省略する。
【００３０】
第３実施形態．
図７は、本発明の第３実施形態を示すものである。この実施形態では、図７に示すように、扉部１４を両側縁に、摺動自在の突出片５１ａ及び５１ｂが設けられる。この突出片５１ａ及び５１ｂは、扉部１４の両側縁から突出するように、スプリング（図示せず）により付勢されている。このように、扉部１４を両側縁に、摺動自在の突出片５１ａ及び５１ｂを設けるようにすると、扉部１４が確実に密閉され、収納部１２内の糞の臭いが外部に漏れることが防止される。他の構成については、前述の第１の実施形態と同様であり、その説明を省略する。
【００３１】
本発明は、上述した実施形態に限定されるものではなく、本発明の要旨を逸脱しない範囲内で様々な変形や応用が可能である。
【産業上の利用可能性】
【００３２】
本発明は、犬の糞を処理するための糞処理具として利用可能である。
【図面の簡単な説明】
【００３３】
【図１】本発明の第１の実施形態の糞処理具の構成を示す斜視図である。
【図２】本発明の第１の実施形態の糞処理具の構成を示す分解斜視図である。
【図３】本発明の第１の実施形態の糞処理具の使用方法の説明図である。
【図４】本発明の第１の実施形態の糞処理具の使用方法の説明図である。
【図５】本発明の第２の実施形態の糞処理具の説明に用いる端面図である。
【図６】本発明の第２の実施形態の糞処理具の説明に用いる端面図である。
【図７】本発明の第３の実施形態の糞処理具の説明に用いる斜視図である。
【符号の説明】
【００３４】
１  糞処理具
１１  ショベル部
１２  収納部
１３  把手部
１４  扉部
１５  ノブ
２１  ガイド溝
２３  カバー
２５  凹部
２６  側壁
４１，４２   パッキン部材
４２  パッキン部材
５１ａ，５１ｂ  突出片
【図１】
2007244302.tif 000003
【図２】
2007244302.tif 000004
【図３】
2007244302.tif 000005
【図４】
2007244302.tif 000006
【図５】
2007244302.tif 000007
【図６】
2007244302.tif 000008
【図７】
2007244302.tif 000009
【手続補正書】
【提出日】平成18年3月27日(2006.3.27)
【手続補正１】
【補正対象書類名】特許請求の範囲
【補正対象項目名】請求項１
【補正方法】変更
【補正の内容】
【請求項１】
糞が収納される収納部と、
前記収納部を開閉する扉部と、
前記収納部の外周を覆うように配設されたショベル部と、
前記収納部の後端に固定された把手部とからなり、
前記扉部を開状態として前記収納部内に糞を収納すると共に、落下した糞を前記ショベル部ですくい上げて前記収納部内に収納する
ことを特徴とする糞処理具。
【手続補正２】
【補正対象書類名】特許請求の範囲
【補正対象項目名】請求項４
【補正方法】変更
【補正の内容】
【請求項４】
前記扉部と前記ガイド溝との間に、パッキン部材を設けるようにしたことを特徴とする請求項３に記載の糞処理具。
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
糞が収納される収納部と、
前記収納部の上部側縁および前記収納部の延長部の上部側縁に沿って形成されたガイド溝と、
前記ガイド溝内に摺動自在に取り付けられる扉部と、
先端が徐々に狭められて、周縁が上方に向かうように徐々に湾曲された縁部と、前記収納部の外形に対応した形状の凹部を有し、前記収納部と前記凹部とを嵌合して、前記収納部の周囲に固定されるショベル部と、
前記扉部と前記ガイド溝との間に配設されるパッキン部材と、
前記収納部の延長部の上部を被うカバーと、
前記収納部の延長部の後端に固定された把手部とからなり、
前記扉部を前記ガイド溝に沿って摺動させ、前記収納部の上側が開放された開状態にして、犬の糞を直接前記収納部内に落下させて収納した後、または、地上に落下した糞を前記ショベル部ですくい上げて前記収納部内に収納した後、前記扉部を閉状態にして、前記収納部を密閉することによって糞の臭いが外部に漏れないようにした
ことを特徴とする糞処理具。
【請求項２】
前記扉部の両側縁に、付勢された突出片を設けるようにしたことを特徴とする請求項１に記載の糞処理具。
【手続補正２】
【補正対象書類名】明細書
【補正対象項目名】０００８
【補正方法】変更
【補正の内容】
【０００８】
本発明に係る糞処理具は、糞が収納される収納部と、収納部の上部側縁および収納部の延長部の上部側縁に沿って形成されたガイド溝と、ガイド溝内に摺動自在に取り付けられる扉部と、先端が徐々に狭められて、周縁が上方に向かうように徐々に湾曲された縁部と、収納部の外形に対応した形状の凹部を有し、収納部と凹部とを嵌合して、収納部の周囲に固定されるショベル部と、扉部とガイド溝との間に配設されるパッキン部材と、収納部の延長部の上部を被うカバーと、収納部の延長部の後端に固定された把手部とからなり、扉部をガイド溝に沿って摺動させ、収納部の上側が開放された開状態にして、犬の糞を直接収納部内に落下させて収納した後、または、地上に落下した糞をショベル部ですくい上げて収納部内に収納した後、扉部を閉状態にして、収納部を密閉することによって糞の臭いが外部に漏れないようにしたを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
好ましくは、扉部の両側縁に、付勢された突出片を設けるようにしたことを特徴とする。
【手続補正７】
【補正対象書類名】明細書
【補正対象項目名】００１３
【補正方法】変更
【補正の内容】
【００１３】
本発明によれば、糞が収納される収納部と、収納部の上部側縁および収納部の延長部の上部側縁に沿って形成されたガイド溝と、ガイド溝内に摺動自在に取り付けられる扉部と、先端が徐々に狭められて、周縁が上方に向かうように徐々に湾曲された縁部と、収納部の外形に対応した形状の凹部を有し、収納部と凹部とを嵌合して、収納部の周囲に固定されるショベル部と、扉部とガイド溝との間に配設されるパッキン部材と、収納部の延長部の上部を被うカバーと、収納部の延長部の後端に固定された把手部とからなり、扉部をガイド溝に沿って摺動させ、収納部の上側が開放された開状態にして、犬の糞を直接収納部内に落下させて収納した後、または、地上に落下した糞をショベル部ですくい上げて収納部内に収納した後、扉部を閉状態にして、収納部を密閉することによって糞の臭いが外部に漏れないようにしている。このため、扉部を開状態として、収納部内に、直接脱糞させることができる。また、路上に脱糞した場合には、落下した糞をショベル部ですくい上げて、収納部内に収納することができる。また、ショベル部は、周縁が上方に向かうように徐々に湾曲されているので、収納部内に直接脱糞させたときに、糞が外にこぼれ落ちることがないと共に、ショベル部上に落下した糞を収納部内に確実に落下させることができる。また、扉部は、収納部の上縁に設けられたガイド溝に摺動自在に配設されているので、扉部を閉状態とすると、収納部が密閉されるため、衣服等を汚したり、異臭を放ったりすることなく、糞を持ち帰って処理することができる。また、本発明によれば、扉部とガイド溝との間に、パッキン部材を設けるようにしているので、収納部をより確実に密閉でき、臭いが外に漏れることが防止できる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、本発明によれば、扉部の両側縁に、付勢された突出片を設けるようにしているので、扉部の動きを規制して、扉部を所望の位置で止めることができる。このために、収納部が閉状態になる位置で扉部を止めると、扉部が移動することがないので、収納部をより確実に密閉できる。
【手続補正１２】
【補正対象書類名】明細書
【補正対象項目名】００３０
【補正方法】変更
【補正の内容】
【００３０】
第３実施形態．
図７は、本発明の第３実施形態を示すものである。この実施形態では、図７に示すように、扉部１４を両側縁に、ガイド溝２１に対して摺動自在の突出片５１ａ及び５１ｂが設けられる。この突出片５１ａ及び５１ｂは、扉部１４の両側縁から突出するように、スプリング（図示せず）により付勢されている。このように、扉部１４を両側縁に、ガイド溝２１に対して摺動自在の突出片５１ａ及び５１ｂを設けるようにすると、扉部の動きを規制して、扉部を所望の位置で止めることができる。このために、収納部が閉状態になる位置で扉部を止めると、扉部が移動することがないので、収納部をより確実に密閉でき、臭いが外に漏れることを防止できる。他の構成については、前述の第１の実施形態と同様であり、その説明を省略する。